(57)【要約】【課題】洗濯機本体に対し蓋を回動可能に支持する部分のメンテナンスを容易に行えるようにした洗濯機を提供する。【解決手段】本実施形態に係る洗濯機は、洗濯機本体と、前記洗濯機本体に設けられた洗濯物出入用の開口部と、前記洗濯機本体に回動可能に設けられ、前記開口部を開閉する蓋と、前記蓋の内部に設けられ、当該蓋の回動中心となるシャフトと、前記蓋の内部に設けられ、当該蓋を前記開口部を開く方向に向けて付勢するばね部材と、前記蓋の前記開口部側の面のうち、前記シャフトおよび前記ばね部材が設けられている部分を覆うカバー部材と、を備える。前記カバー部材は、前記蓋の前記開口部側の面を構成する部材とは別体に設けられている。【選択図】図２
2020168581.tif 000002
【特許請求の範囲】
【請求項１】
洗濯機本体と、
前記洗濯機本体に設けられた洗濯物出入用の開口部と、
前記洗濯機本体に回動可能に設けられ、前記開口部を開閉する蓋と、
前記蓋の内部に設けられ、当該蓋の回動中心となるシャフトと、
前記蓋の内部に設けられ、当該蓋を前記開口部を開く方向に向けて付勢するばね部材と、
前記蓋の前記開口部側の面のうち、前記シャフトおよび前記ばね部材が設けられている部分を覆うカバー部材と、
前記シャフトを保持するシャフト保持部と、
を備え、
前記カバー部材は、前記蓋の前記開口部側の面を構成する部材とは別体に設けられているとともに、前記シャフト保持部に前記シャフトが保持された状態を維持する保持状態維持部を有する洗濯機。
【発明の詳細な説明】
【技術分野】
【０００１】
本発明の実施形態は、洗濯機に関する。
【背景技術】
【０００２】
洗濯槽の回転軸が縦方向である、いわゆる縦軸型の洗濯機は、洗濯物出入用の開口部、および、この開口部を開閉する蓋を備えている。例えば特許文献１に開示されているように、この種の縦軸型の洗濯機においては、蓋を回動可能に支持するヒンジ部に、当該蓋を開口部を開く方向に付勢するばね部材を設けた構成が考えられている。また、ヒンジ部に蓋の回動中心となるシャフトを設けることで、蓋の回動を安定的に行えるようにした構成も考えられている。
【先行技術文献】
【特許文献】
【０００３】
【特許文献１】特開平６−３１５５９７号公報
【発明の概要】
【発明が解決しようとする課題】
【０００４】
しかし、従来の縦軸型の洗濯機の構成は、シャフトやばね部材が洗濯機本体側に設けられている。そのため、例えばシャフトやばね部材の交換などのメンテナンスを行う場合には、洗濯機本体から蓋を取り外すなどといった作業が必要となり、作業の負荷が高い。そのため、洗濯機本体に対し蓋を回動可能に支持する部分のメンテナンスが困難である。
そこで、洗濯機本体に対し蓋を回動可能に支持する部分のメンテナンスを容易に行えるようにした洗濯機を提供する。
【課題を解決するための手段】
【０００５】
本実施形態に係る洗濯機は、洗濯機本体と、洗濯物出入用の開口部と、蓋と、シャフトと、ばね部材と、カバー部材と、シャフト保持部と、を備える。洗濯物出入用の開口部は、前記洗濯機本体に設けられている。蓋は、前記洗濯機本体に回動可能に設けられ、前記開口部を開閉する。シャフトは、前記蓋の内部に設けられ、当該蓋の回動中心となる。ばね部材は、前記蓋の内部に設けられ、当該蓋を前記開口部を開く方向に向けて付勢する。カバー部材は、前記蓋の前記開口部側の面のうち、前記シャフトおよび前記ばね部材が設けられている部分を覆う。シャフト保持部は、前記シャフトを保持する。そして、前記カバー部材は、前記蓋の前記開口部側の面を構成する部材とは別体に設けられているとともに、前記シャフト保持部に前記シャフトが保持された状態を維持する保持状態維持部を有する。
【図面の簡単な説明】
【０００６】
【図１】本実施形態に係る洗濯機の構成例を示すものであり、蓋が閉じられた閉状態を示す洗濯機の斜視図
【図２】本実施形態に係る洗濯機の構成例を示すものであり、蓋が開いた開状態を示す洗濯機の斜視図
【図３】閉状態における洗濯機の側面図
【図４】折り畳まれていない状態における蓋を表面側から見た斜視図
【図５】折り畳まれていない状態における蓋を裏面側から見た斜視図
【図６】蓋が開いた開状態においてカバー部材を取り外した状態を示す洗濯機の斜視図
【図７】カバー部材の斜視図
【図８】蓋の回動軸部およびその周辺部分を示す縦断正面図
【図９】変形例を示すものであり、蓋の回動軸部およびその周辺部分を示す縦断正面図
【発明を実施するための形態】
【０００７】
以下、洗濯機に係る一実施形態について図面を参照しながら説明する。図１から図３に例示する洗濯機１は、洗濯槽の回転軸が縦方向であるいわゆる縦軸型の洗濯機であり、洗濯機本体２の上部に、矩形板状の蓋３を備える。蓋３の左右方向の幅は、洗濯機本体２の左右方向の幅とほぼ同じ寸法となっている。なお、以下、「ほぼ同じ寸法」とは、両者が完全に一致する寸法である場合を含み、また、両者の寸法が同一と見做せるほど僅かに異なる場合も含む。
【０００８】
洗濯機本体２は、例えば鋼板により構成される矩形箱状の外箱４と、例えば合成樹脂により構成されるトップカバー５と、を備える。トップカバー５は、外箱４の上部に設けられている。即ち、トップカバー５は、洗濯機本体２の上部を構成する。外箱４の内部には、洗濯水を溜める図示しない水槽が弾性吊持機構により弾性的に支持されている。そして、図２に例示するように、この水槽の内部には、洗濯物が収容される洗濯槽６が回転可能に設けられている。洗濯槽６の回転軸は、洗濯機本体２の上下方向に延びる縦軸である。
【０００９】
トップカバー５は、下面が開口し、上面が前方に向けて下降傾斜する薄形の中空箱状をなす。トップカバー５の中央部には、洗濯槽６の上方に位置して、洗濯物出入用の開口部７が設けられている。開口部７は、前側が円弧状に開口し、後側が矩形状に開口する。開口部７は、前面部および側面部が下方ほど開口部７内側に向かうように傾斜しており、これにより、開口部７は、下方ほど開口面積が小さくなっている。また、開口部７は、後面部が垂直な壁部となっている。開口部７の後面部の左右方向の中央部には、洗剤類が投入される洗剤類ケース８が設けられている。洗剤類ケース８は、洗濯機１の前後方向に沿って出し入れ可能に設けられている。この場合、図３に例示するように、トップカバー５の上面は前方に向けて下降傾斜している。そのため、開口部７の深さは、前側よりも後側の方が深い。
【００１０】
開口部７を開閉する蓋３は、トップカバー５の上面において前後方向に回動可能に設けられている。後述するように、トップカバー５の上面は、段差の無い平面状に構成される。蓋３の基端部には、左右方向に延びる回動軸部９が設けられている。回動軸部９は、洗濯機本体２に対し、蓋３を回動可能に支持するものである。回動軸部９は、蓋３の基端部において当該蓋３の左右方向に延びるほぼ円筒状をなしている。
【００１１】
一方、トップカバー５の上部において開口部７の後面部の直上となる部分には、トップカバー５の左右方向に延びる凹部１０が設けられている。凹部１０は、円筒状の回動軸部９の形状に対応するように断面円弧状に窪んだ形状となっている。凹部１０の左右方向の幅は、トップカバー５の左右方向の幅、換言すれば洗濯機本体２の左右方向の幅とほぼ同じ寸法となっている。従って、凹部１０は、その左右方向の両端部が塞がれておらず、洗濯機本体２の側方に向けて露出した構成となっている。そして、蓋３の回動軸部９は、洗濯機本体２側の凹部１０に収容される。これにより、蓋３は、洗濯機本体２の上部に回動可能に支持される。
【００１２】
トップカバー５の上部、換言すれば洗濯機本体２の上部には、開口部７を閉じた状態の蓋３を支持する蓋支持部１１が設けられている。蓋支持部１１は、開口部７の周囲において平面状に設けられている。この場合、蓋支持部１１は、開口部７の前端部を除いて当該開口部７の周囲を囲むように形成されている。
【００１３】
また、トップカバー５の前部の上部、換言すれば洗濯機本体２の前部の上部には、洗濯機１に各種の操作を入力するための操作パネル１２が設けられている。操作パネル１２は、蓋支持部１１の前部において当該蓋支持部１１に連続するように設けられている。蓋支持部１１の上面と操作パネル１２の上面は、面一となっている。これにより、開口部７の周囲は、蓋支持部１１の上面と操作パネル１２の上面とからなる、段差の無い連続した平面部によって囲まれた状態となっている。操作パネル１２の後部の中央部には、開口部７の前側の開口形状に沿って円弧状に窪む窪み部１３が設けられている。
【００１４】
図４および図５にも例示するように、蓋３は、いわゆる２つ折り式の構成となっており、本体部２１および先端部２２を備える。蓋３の本体部２１は、裏面側部材２３と表面側部材２４との間に図示しないガラス貼付部材を備えた構成である。裏面側部材２３は、例えば結晶性の合成樹脂材料により構成されている。裏面側部材２３は、蓋３の本体部２１の裏面、つまり、開口部７側の面を構成する。蓋３の本体部２１の裏面は、図１および図３に例示するように当該蓋３が開口部７を閉じた閉状態においては下面となり、図２に例示するように当該蓋３が開口部７を開いた開状態においては前面となる面である。
【００１５】
裏面側部材２３の左右方向の両端部には、傾斜面部２３ａが設けられている。傾斜面部２３ａは、蓋３の本体部２１の左右方向の両端部を構成する。傾斜面部２３ａが傾斜していることにより、蓋３の本体部２１の左右方向の両端部は、いわゆる面取りされた状態となる。また、裏面側部材２３の先端部側には、先端部２２を回動可能に支持するための先端部支持部２３ｂが設けられている。また、裏面側部材２３の基端部側の左右方向の両端部には、回動軸部９の左右方向の両端部を構成する突出部２３ｃが設けられている。突出部２３ｃは、ほぼ半円状に突出している。
【００１６】
ガラス貼付部材は、例えば合成樹脂材料により構成され、裏面側部材２３の表面側に取り付けられる。表面側部材２４は、例えば厚み５ｍｍ程度の硬質ガラス板により構成され、矩形の薄板状をなしている。表面側部材２４は、着色されていてもよいし、透明であってもよい。表面側部材２４は、ガラス貼付部材の上面に、図示しない両面粘着テープを介して貼り付けられる。そして、表面側部材２４の先端部は、抑え部材２５により抑えられる。抑え部材２５の左右方向の幅は、本体部２１の左右方向の幅とほぼ同じ寸法となっている。表面側部材２４は、蓋３の本体部２１の表面を構成する。蓋３の本体部２１の表面は、図１および図３に例示するように当該蓋３が開口部７を閉じた閉状態においては上面となり、図２に例示するように当該蓋３が開口部７を開いた開状態においては後面となる面である。
【００１７】
蓋３の先端部２２は、本体部２１よりも小さい矩形板状をなしている。蓋３の先端部２２の左右方向の幅は、蓋３の本体部２１の左右方向の幅とほぼ同じ寸法である。蓋３の先端部２２は、裏面側部材３１と表面側部材３２を備える。裏面側部材３１は、本体部２１の裏面側部材２３と同様に、例えば結晶性の合成樹脂材料により構成されている。裏面側部材３１の左右方向の両端部には、傾斜面部３１ａが設けられている。傾斜面部３１ａは、蓋３の先端部２２の左右方向の両端部を構成する。傾斜面部３１ａが傾斜していることにより、蓋３の先端部２２の左右方向の両端部は、いわゆる面取りされた状態となる。
【００１８】
表面側部材３２は、例えば合成樹脂材料により構成されている。表面側部材３２を構成する合成樹脂材料は、結晶性の合成樹脂材料であってもよいし、それ以外の合成樹脂材料であってもよい。また、表面側部材３２には、ユーザが蓋３を開閉する際に手指を掛けるための手掛部３３が設けられている。
【００１９】
蓋３の先端部２２は、裏面側部材３１と表面側部材３２とを組み合わせた構成である。蓋３の先端部２２は、その基端部が本体部２１の先端部支持部２３ｂに回動可能に支持される。蓋３の裏面側部材３１は、蓋３の先端部２２の裏面、つまり、開口部７側の面を構成する。蓋３の先端部２２の裏面は、図１および図３に例示するように当該蓋３が開口部７を閉じた閉状態においては下面となり、図２に例示するように当該蓋３が開口部７を開いた開状態においては本体部２１の裏面に向かい合う面である。
【００２０】
即ち、この場合、蓋３は、本体部２１および先端部２２という２つの独立した部位からなる、いわゆる折り畳み式の蓋構造となっている。よって、蓋３が開口部７を閉じる閉状態においては、図１および図３に例示するように、蓋３の本体部２１および先端部２２は面一な板状態となり、この状態で開口部７を閉じる。一方、蓋３が開口部７を開く開状態においては、図２に例示するように、蓋３の本体部２１は、凹部１０上においてほぼ上下方向に立った状態となり、蓋３の先端部２２は、その本体部２１の上端から下方に向かって折り畳まれた状態となる。即ち、蓋３は、本体部２１の裏面側部材２３と先端部２２の裏面側部材３１とが向き合った状態となる。
【００２１】
図５に例示するように、蓋３の裏面には、凸部４１が設けられている。この凸部４１は、開口部７の開口形状に対応して、先端部２２側である先端側が円弧状に形成され、本体部２１側である基端側がほぼ矩形状に形成されている。蓋３が開口部７を閉じた状態においては、この凸部４１が開口部７に嵌り込む。これにより、洗濯機本体２内部からの音漏れを防止することができ、また、開口部７から洗濯機本体２内部への埃などの異物の侵入を防止することができる。
【００２２】
次に、回動軸部９の内部構成について説明する。即ち、蓋３の開口部７側の面は、本体部２１の裏面側部材２３と、先端部２２の裏面側部材３１と、これら裏面側部材２３，３１とは別体であるカバー部材５１と、を備える。カバー部材５１は、蓋３の裏面のうち回動軸部９を構成する部分を覆う。そして、図６に例示するように、蓋３の開口部７側の面においては、蓋３を洗濯機本体２から取り外すことなく、また、蓋３から裏面側部材２３，３１を取り外すことなく、蓋３を開放した状態で、カバー部材５１のみを取り外すことが可能となっている。そして、蓋３からカバー部材５１を取り外すと、回動軸部９の内部、即ち、洗濯機本体２に対し蓋３を回動可能に支持する部分の内部が露出する。
【００２３】
図７に例示するように、カバー部材５１は、円筒状の回動軸部９の一部、この場合、蓋３の裏面側の部分を構成する半円筒状部５２と、裏面側部材２３の基端部に嵌め込まれる平面状部５３と、を備える。半円筒状部５２は、蓋３の裏面側に膨出している。平面状部５３の先端部には、裏面側部材２３の基端部に係止する複数の係止爪５４が設けられている。カバー部材５１の半円筒状部５２の内部には、一対の保持状態維持部５５が設けられている。
【００２４】
保持状態維持部５５は、半円筒状部５２の内周面から突出する細長い平面状に設けられている。そして、保持状態維持部５５は、その平面がカバー部材５１の長手方向に対し直交する状態となっている。そして、保持状態維持部５５は、カバー部材５１の長手方向において内側となる平面に、当該保持状態維持部５５を補強するリブ５５ａを有する。なお、保持状態維持部５５は、カバー部材５１の長手方向において外側となる平面にはリブなどの突起部を有していない。
【００２５】
図８に例示するように、回動軸部９の内部には、ベース部６１、シャフト６２、ばね部材６３が設けられている。ベース部６１は、金属製であり、回動軸部９の長手方向に延びている。ベース部６１は、蓋３の本体部２１を構成する裏面側部材２３の基端部の裏面側に固定されている。ベース部６１の左右方向の両端部には、蓋３の裏面側に突出するシャフト保持部６４が設けられている。シャフト保持部６４は、それぞれ、回動軸部９の長手方向に沿って対向する一対の保持片部６４ａを有する。保持片部６４ａには、シャフト６２を保持するための保持孔が設けられている。この保持孔は、回動軸部９のうち蓋３の裏面側に膨出する部分の内部に位置するようになっている。従って、この保持孔に保持されるシャフト６２、つまり、蓋３の回動中心は、蓋３の裏面側に膨出した部分に設けられる。
【００２６】
シャフト６２は、金属製であり、長細い円柱状をなしている。シャフト６２は、蓋３の内部、具体的には回動軸部９の内部において、当該蓋３の回動中心となるものである。この場合、シャフト６２は、回動軸部９の左右方向の両端部に分かれて２本備えられている。そして。一方のシャフト６２は、ベース部６１の一方のシャフト保持部６４に保持され、他方のシャフト６２は、ベース部６１の他方のシャフト保持部６４に保持されている。
【００２７】
シャフト６２の両端部のうち回動軸部９の長手方向において外側となる端部は、洗濯機本体２の上部に設けられたシャフト支持部２ａに差し込まれて支持される。一方、シャフト６２の両端部のうち回動軸部９の長手方向において内側となる端部は、カバー部材５１の保持状態維持部５５に当接する。これにより、保持状態維持部５５は、シャフト６２がシャフト保持部６４から抜けてしまうことを防止し、シャフト保持部６４にシャフト６２が保持された状態を維持する。即ち、保持状態維持部５５は、シャフト６２のいわゆる抜け止めとして機能する。
【００２８】
ばね部材６３は、金属製であり、コイル状に巻回された構成である。ばね部材６３は、蓋３の内部、具体的には回動軸部９の内部において、当該蓋３を開口部７を開く方向に向けて付勢するものである。この場合、ばね部材６３は、回動軸部９の左右方向の両端部に分かれて２つ備えられている。そして、一方のばね部材６３は、一方のシャフト６２が挿通された状態でシャフト保持部６４に保持され、他方のばね部材６３は、他方のシャフト６２が挿通された状態でシャフト保持部６４に保持されている。
【００２９】
また、図６に例示するように、ばね部材６３は、蓋３側に保持される蓋側部分６３ａと、洗濯機本体２側に保持される本体側部分６３ｂと、を有する。蓋側部分６３ａおよび本体側部分６３ｂは、何れも、シャフト６２が延びる方向に直交する方向に延びているが、それぞれの延びる方向が異なっている。
【００３０】
図６に例示するように、蓋側部分６３ａは、ベース部６１に設けられた保持部に保持される。一方、図８に例示するように、本体側部分６３ｂは、洗濯機本体２のトップカバー５の上部、より具体的には凹部１０の底部に設けられた保持部５ａに保持される。保持部５ａは、凹部１０の底部から下方に向けて延出する筒状の部分である。この場合、保持部５ａは、トップカバー５の一部として一体的に設けられている。よって、本体側部分６３ｂは、トップカバー５、換言すれば洗濯機本体２に、金属製の補強部などを介することなく直接的に保持されるようになっている。また、保持部５ａの底部は、塞がれている。なお、保持部５ａの底部を開放した構成も許容される。
【００３１】
保持部５ａは、洗濯機本体２の上下方向に沿って延びている。よって、この保持部５ａに保持される本体側部分６３ｂは、常に、洗濯機本体２の上下方向に沿った状態で保持される。一方、蓋側部分６３ａは、蓋３に支持されていることから、当該蓋３の回動に伴い、その延びる方向が変化する。そのため、蓋３の回動に伴い、蓋側部分６３ａと本体側部分６３ｂがなす角度が変化する。蓋３が閉じられた閉状態では、蓋側部分６３ａと本体側部分６３ｂがなす角度が小さくなる。この状態では、ばね部材６３には両部分６３ａ，６３ｂを離そうとする力、つまり、蓋３を開こうとする力が発生する。但し、このとき発生する力は、蓋３を開くほどの力よりは弱く、従って、ばね部材６３が発生する力のみで蓋３が開いてしまうことはない。そして、蓋３が閉じられた閉状態から、ユーザが手掛部３３に手を掛けて蓋３を開こうとすると、本体部２１が上方に回動するとともに、先端部２２が折り畳まれる。そして、蓋３が開かれる際には、ばね部材６３が発生する力が蓋３の本体部２１を開こうとする方向に作用するため、ユーザによる蓋３の開動作をアシストすることができる。
【００３２】
また、蓋３が回動する場合には、当該蓋３とともに回動する回動軸部９に対し、ばね部材６３の本体側部分６３ｂは、保持部５ａに保持された状態で維持される。即ち、蓋３が回動する際に、ばね部材６３の本体側部分６３ｂの位置は変動しない。そのため、カバー部材５１には、このように位置が変動しないばね部材６３の本体側部分６３ｂを回避するための回避部５６が設けられている。この回避部５６は、回動軸部９の軸方向に対して直交する方向に延びるスリット状に設けられている。そして、この回避部５６には、ばね部材６３の本体側部分６３ｂが挿通されている。蓋３の本体部２１が回動することに伴い、カバー部材５１に対する本体側部分６３ｂの相対的な位置が変化する。回避部５６は、この本体側部分６３ｂの相対的な位置変化を許容するためのものである。
【００３３】
本実施形態に係る洗濯機１によれば、カバー部材５１は、蓋３の開口部７側の面を構成する裏面側部材２３，３１とは別体に設けられている。この構成によれば、洗濯機本体２から蓋３を取り外さなくとも、また、蓋３から裏面側部材２３，３１を取り外さなくとも、ベース部６１、シャフト６２、ばね部材６３が設けられている部分、つまり、洗濯機本体２に対し蓋３を回動可能に支持する部分を露出させることができ、当該部分のメンテナンスを容易に行うことができる。
【００３４】
また、洗濯機１によれば、ばね部材６３は、その大部分がカバー部材５１の内側に格納され、本体側部分６３ｂのみが洗濯機本体２側に保持される。そして、蓋３側のカバー部材５１は、洗濯機本体２側に保持されるばね部材６３の本体側部分６３ｂ、つまり、蓋３の回動に伴い位置が変動しない要素に対応して、当該要素を回避するための回避部５６を有する。これにより、蓋３が回動する際に、カバー部材５１にばね部材６３の本体側部分６３ｂが干渉してしまうことを回避することができる。
【００３５】
また、洗濯機１によれば、ばね部材６３の本体側部分６３ｂは、カバー部材５１の内側に当該カバー部材５１の長手方向に沿って格納されるシャフト６２が延びる方向に直交する方向に延びる。そのため、半円筒状のカバー部材５１の周面からばね部材６３の本体側部分６３ｂを洗濯機本体２に向けて突出させることができ、ばね部材６３の本体側部分６３ｂを洗濯機本体２に直接保持させることが容易となる。
【００３６】
なお、ばね部材の本体側部分を回動軸部の長手方向の両端部から突出させた構成では、当該ばね部材の本体側部分を洗濯機本体に向けた状態とすることができない。そのため、ばね部材の本体側部分と洗濯機本体との間に、これら両要素を連結するための部材を介在させる必要があり、その構成が複雑化する。本実施形態に係る洗濯機１によれば、ばね部材６３の本体側部分６３ｂと洗濯機本体２との間に部材を介在させる必要がなく、ばね部材６３の本体側部分６３ｂを洗濯機本体２に直接的に保持することができる。
【００３７】
また、洗濯機１によれば、カバー部材５１は、シャフト保持部６４にシャフト６２が保持された状態を維持する保持状態維持部５５を有する。この構成によれば、カバー部材５１を取り付けることにより、シャフト６２が抜け止めされた状態を維持することができる。また、カバー部材５１を取り外すことにより、保持状態維持部５５による抜け止め状態が解除されるため、カバー部材５１を取り外すと同時にシャフト６２を取り外し可能な状態を実現することができ、より容易にメンテナンスを行うことができる。
【００３８】
なお、図９に例示するように、洗濯機１は、洗濯機本体２の内部に補強板７１を備える構成としてもよい。この補強板７１は、金属製であり、洗濯機本体２の上部、特に凹部１０の部分を補強する。そして、補強板７１は、保持部５ａを保持して当該保持部５ａを補強する。また、補強板７１は、シャフト６２の軸受、特に洗濯機本体２内に挿通される端部の軸受としても機能する。
【００３９】
また、洗濯機１は、いわゆる２つ折り式の蓋３ではなく、一枚の矩形板状の蓋を備える構成としてもよい。また、洗濯機１は、蓋の表面をガラスの板材ではなく、例えば樹脂材料や金属材料からなる部材により構成してもよい。
【００４０】
また、回避部は、スリット状のものに限られるものではなく、その形状を適宜変更して実施することができる。即ち、回避部の開口形状は、蓋が回動したとしても位置が変化しないばね部材の一部分を回避できる形状であれば、種々の形状を採用することができる。
【００４１】
また、保持状態維持部５５は、平面状に突出する構成に限られるものではない。保持状態維持部は、例えば、カバー部材５１の長手方向の中央部を蓋３の表面側に凹ませることにより構成してもよい。また、洗濯機１は、回動軸部９の中央部にダンパを備える構成としてもよい。ダンパは、蓋３を開方向へ回動させる力を吸収するものであってもよいし、蓋３を閉方向へ回動させる力を吸収するものであってもよいし、双方を備える構成であってもよい。
【００４２】
本実施形態に係る洗濯機によれば、蓋の開口部側の面のうちシャフトおよびばね部材が設けられている部分を覆うカバー部材は、蓋の開口部側の面を構成する部材とは別体に設けられている。この構成によれば、洗濯機本体から蓋を取り外さなくとも、また、蓋の開口部側の面を構成する部材を取り外さなくとも、洗濯機本体に対し蓋を回動可能に支持する部分を露出させることができ、当該部分のメンテナンスを容易に行うことができる。
【００４３】
なお、本実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。本実施形態およびその変形は、発明の範囲および要旨に含まれるとともに、特許請求の範囲に記載された発明とその均等の範囲に含まれる。
【符号の説明】
【００４４】
図面中、１は洗濯機、２は洗濯機本体、３は蓋、７は洗濯物出入用の開口部、５１はカバー部材、５５は保持状態維持部、５６は回避部、６２はシャフト、６３はばね部材、６３ｂは本体側部分、６４はシャフト保持部を示す。
【図１】
2020168581.tif 000003
【図２】
2020168581.tif 000004
【図３】
2020168581.tif 000005
【図４】
2020168581.tif 000006
【図５】
2020168581.tif 000007
【図６】
2020168581.tif 000008
【図７】
2020168581.tif 000009
【図８】
2020168581.tif 000010
【図９】
2020168581.tif 000011